(57)【特許請求の範囲】
【請求項１】
挟着片を下端内方に向けて折曲形成させた脚片と、該脚片を下方に延出させた台座部とを含んで形成された挟着部材を２つ、上記挟着片を対向させて相互に連結し、上記脚片を緊締して、上記挟着片を相互に近接させ、波形屋根の頂部より突出した突出体に挟着、固定するようにした屋根上取付具であって、
上記台座部は、上記屋根上取付物品または該屋根上取付物品を取り付けるためのフレームを磁着して固定するようにしてなるとともに、隣接する挟着部材と相互に対向し接触する対向片を辺縁部に有した構造とされ、
少なくとも一方の挟着部材の対向片には永久磁石が固着されていることを特徴とする屋根上取付具。
【請求項２】
挟着片を下端内方に向けて折曲形成させた脚片と、該脚片を下方に延出させた台座部とを含んで形成された挟着部材を２つ、上記挟着片を対向させて相互に連結し、上記脚片を緊締して、上記挟着片を相互に近接させ、波形屋根の頂部より突出した突出体に挟着、固定するようにした屋根上取付具であって、
少なくとも上記台座部は永久磁石で形成され、上記屋根上取付物品または該屋根上取付物品を取り付けるためのフレームを磁着して固定するようにしてなることを特徴とする屋根上取付具。
【請求項３】
請求項１または２の屋根上取付具を用いた屋根上取付物品の取付構造。
【発明の詳細な説明】
【技術分野】
【０００１】
本発明は、波形屋根の頂部に取付固定される屋根上取付具およびその屋根上取付具を用いた屋根上取付物品の取付構造に関する。
【背景技術】
【０００２】
一般に、折板屋根（角波形屋根）、丸波形屋根等の波形屋根の上面に、例えばテレビアンテナや空調機器、太陽電池パネル、遮熱シート等の屋根上取付物品を直接あるいは屋根上取付物品取付用のフレームを介して取付固定することが実施されており、従来には、屋根上取付物品を屋根上に取り付けるための種々の屋根上取付具が提案されている（例えば、特許文献１参照）。
【０００３】
特許文献１に記載された屋根は、山部と谷部とが交互に連続してなる波形屋根における山部の頂部で、隣接する屋根材同士を重ねてなる重合部をボルト体とナットの螺着によって連結、固定する構造となっている。その波形屋根に取り付けられる屋根上取付具は、重合部を波形屋根の下方より貫通して屋根上に突出させた屋根材連結のためのボルト体の雄ネジ部を、先端が相対向する挟着片で挟み込むことで設置できるようになっている。
【０００４】
具体的には、この屋根上取付具は、略門形に形成した挟着具の両脚片を横方向に貫通する緊締用ボルト、ナットで両脚片を緊締して、両脚片のそれぞれの下端から対向するように延びた両挟着片をボルト体に挟着させる構造となっている。
【０００５】
そして、屋根上物品またはそれを取り付けるためのフレームは、屋根上取付具の台座部にビス止め等で固定されるようになっている。特許文献１のものは、台座部には剣先ボルトが突出した状態で固定されており、複数の屋根上取付具の剣先ボルトでフレームを架設固定し、さらにその上に屋根上取付物品を配設できるようになっている。
【０００６】
さらに、特許文献２のものは、挟着具が支点連結された２つの挟着部材より構成され、ハゼ部に対して挟着する構成となっている。
【先行技術文献】
【特許文献】
【０００７】
【特許文献１】特開２０１０−７７６９２号公報
【特許文献２】特許第３３６８３７４号
【発明の概要】
【発明が解決しようとする課題】
【０００８】
しかしながら、上記従来の屋根上取付具の取付構造はビス止め等の固定による取付構造であるから、多数の屋根上取付具に対して長尺のフレームを架設する場合には、それぞれの屋根上取付具に対してビス止めしなければならず、固定作業に長時間を要するおそれがある。
【０００９】
また、ビス止めすればフレームや屋根上取付具の切粉が飛散し、屋根上面や屋根上取付具、フレームに付着、残留するため、それを取り除くための作業も発生する。切粉を残留したまま放置すれば、金属素材の場合には雨水等によって切粉が錆び、屋根上取付具やフレーム、屋根上取付物品、屋根面自体にも錆が及ぶおそれがある。
【００１０】
本発明は、このような事情を考慮して提案されたもので、その目的は、屋根上取付物品やこれを取り付けるためのフレームを効率よく短時間で屋根上に配設できる屋根上取付具およびその屋根上取付具を用いた屋根上取付物品の取付構造を提供することにある。
【００１１】
特に本発明では、２つの挟着部材で構成された屋根上取付具において効率よく屋根上に配設できるようにすることを目的としている。
【課題を解決するための手段】
【００１２】
上記目的を達成するために、請求項１に記載の屋根上取付具は、挟着片を下端内方に向けて折曲形成させた脚片と、該脚片を下方に延出させた台座部とを含んで形成された挟着部材を２つ、挟着片を対向させて相互に連結し、脚片を緊締して、挟着片を相互に近接させ、波形屋根の頂部より突出した突出体に挟着、固定するようにした屋根上取付具であって、台座部は、屋根上取付物品または該屋根上取付物品を取り付けるためのフレームを磁着して固定するようにしてなるとともに、隣接する挟着部材と相互に対向し接触する対向片を辺縁部に有した構造とされ、少なくとも一方の挟着部材の対向片には永久磁石が固着されていることを特徴とする。
【００１３】
請求項２に記載の屋根上取付具は、挟着片を下端内方に向けて折曲形成させた脚片と、該脚片を下方に延出させた台座部とを含んで形成された挟着部材を２つ、挟着片を対向させて相互に連結し、脚片を緊締して、挟着片を相互に近接させ、波形屋根の頂部より突出した突出体に挟着、固定するようにした屋根上取付具であって、少なくとも台座部は永久磁石で形成され、屋根上取付物品または該屋根上取付物品を取り付けるためのフレームを磁着して固定するようにしてなることを特徴とする。
【００１４】
（削除）
【００１５】
（削除）
【００１６】
請求項３に記載の屋根上取付物品の取付構造は、請求項１または２の屋根上取付具を用いてなることを特徴とする。
【発明の効果】
【００１７】
請求項１に記載の屋根上取付具によれば、台座部が屋根上取付物品または屋根上取付物品を取り付けるためのフレームを磁着する構造となっているため、現場での作業を効率的に短時間で行うことができる。特に、屋根上取付具が２つの挟着部材を連結した構造であるため、屋根上取付物品の磁着による結合力により、挟着部材同士の連結も強められる。
【００１８】
また、ビス止めにより固定する構造ではないため、当然にビス止めによる切粉が発生するおそれはなく、切粉を取り除く作業が省け、フレーム等の取付作業のさらなる迅速化が図れる。ビス止め作業による切粉が発生しないので、屋根面に切粉を原因とした錆も発生し得ない。
【００１９】
（削除）
【００２０】
また、請求項１に記載の屋根上取付具によれば、挟着部材の台座部同士が隣接する構造とされ、台座部同士の接触面に永久磁石が固着されてなる構造であるため、挟着部材同士の連結を強固にできる。
【００２１】
請求項２に記載の屋根上取付具によれば、挟着部材の少なくとも台座部が永久磁石で形成されているので、永久磁石が屋根上取付具から外れるおそれがなく安全である。
【００２２】
請求項３に記載の屋根上取付物品の取付構造によれば、請求項１または２の屋根上取付具を用いた構造であるため、上記と同様の効果が奏せられる。
【図面の簡単な説明】
【００２３】
【図１】本発明に係る屋根上取付具の第１実施形態（参考例）を示す分解斜視図である。
【図２】（ａ）は屋根上取付具の波形屋根への取り付け前の状態を示す正面図、（ｂ）は屋根上取付具の波形屋根への取り付け後の状態を示す正面図である。
【図３】屋根上取付物品を屋根上取付具に取り付けるためのフレームの取付態様例を示す概略斜視図である。
【図４】図１に示した屋根上取付具の他の取付態様を示す一部断面正面図である。
【図５】第１実施形態の変形例（本発明の実施例）を示す屋根上取付具の正面図である。
【図６】本発明に係る屋根上取付具の第２実施形態（参考例）を示す分解斜視図である。
【図７】屋根上取付具の波形屋根への取り付け後の状態を示す斜視図である。
【図８】（ａ）は屋根上取付具の波形屋根への取り付け前の状態を示す一部断面正面図、（ｂ）は屋根上取付具の波形屋根への取り付け後の状態を示す一部断面正面図である。
【発明を実施するための形態】
【００２４】
以下に、本発明の実施の形態について、添付図面を参照しながら説明する。
【００２５】
図１は、本発明に係る屋根上取付具の第１実施形態（参考例）を示す分解斜視図である。図２（ａ）は屋根上取付具の波形屋根への取り付け前の状態を示す正面図、図２（ｂ）は屋根上取付具の波形屋根への取り付け後の状態を示す正面図である。図３は、屋根上取付物品を屋根上取付具に取り付けるためのフレームの取付態様例を示す概略斜視図である。
【００２６】
この屋根上取付具Ａが取り付けされる波形屋根としては、図例として示した折板屋根Ｙ（角波形屋根）や丸波形屋根が挙げられる。また、屋根の素材としては、金属や合成樹脂、セメント系等のものが適用できる。
【００２７】
図例として示した折板屋根Ｙは、山部Ｙ１と谷部Ｙ２が交互に連続する屋根であって、複数の折板屋根材を側端縁の山部Ｙ１の頂部Ｙ１ａで重合し、その重合部でボルト体Ｂ（突出体）とナットＣ１の螺着によって連結した重ね式接合構造となっている。
【００２８】
このナットＣ１は、図例においては、その下方の座金Ｃ２（図例では山座金）と一体的に形成されている。座金Ｃ２は、ボルト孔からの水の浸入を防止するための防水パッキン（不図示）を介在させている。
【００２９】
また、折板屋根Ｙの裏側には、正面視で折板屋根Ｙと略同形状をなす、ボルト止めのための支持金具Ｙ３が取り付けられている。なお、屋根上取付具Ａを取り付けるためのボルト体Ｂの取付位置は隣接する折板屋根材の重合部に限らず、他の頂部Ｙ１ａに支持金具Ｙ３を用いてボルト体Ｂを取り付けてもよい。
【００３０】
屋根上取付具Ａは、金属板または硬質樹脂板よりなり、折板屋根Ｙの頂部Ｙ１ａより上方に突出した重合部連結用のボルト体Ｂに挟着して、取り付け、固定する構造となっている。
【００３１】
この屋根上取付具Ａは、挟着具１を構成するための２つの挟着部材１０を含んで構成されており、２つの挟着部材１０、１０はそれぞれ、ボルト体Ｂを挟着する挟着片１３を下端から内方に向けて折曲形成させた脚片１２と、脚片１２を下方に延出させた台座部１１とを含んで、同一寸法、同一形状に形成されている。
【００３２】
それぞれの台座部１１は、台座本体１１ａの上面に永久磁石１１ｂを固着した構成とされ、それぞれの台座本体１１ａにおける、２つの挟着部材１０、１０を連結する際に相互に隣接する辺縁部には、垂下した対向片１１ｃが形成されている。この対向片１１ｃには、対向する相手側の挟着部材１０の対向片１１ｃの方向に向かって突出したガイド突片１０ａと、相手側のガイド突片１０ａを貫挿可能な貫挿開口部１０ｂとが並んで形成されている。
【００３３】
すなわち、一方の挟着部材１０のガイド突片１０ａが他方の挟着部材１０の貫挿開口部１０ｂに貫挿し、かつ他方の挟着部材１０のガイド突片１０ａが一方の挟着部材１０の貫挿開口部１０ｂに貫挿することで、２つの挟着部材１０、１０は結合する。つまり、両挟着部材１０、１０はそれぞれ雌雄一体構造であり、２組の雌雄部によって相互に結合する。そして、両挟着部材１０、１０が結合すると、２つの永久磁石１１ｂ、１１ｂは側端面同士が近接した状態となる（図２（ｂ）参照）。
【００３４】
なお、挟着具１は２つの挟着部材１０、１０の結合とともに、緊締用ボルト２５と緊締用ナット２６との螺合による緊締によって一体化固定する構成であるため、ガイド突片１０ａの貫挿による結合によって両者が固定状態にならなくてもよく、そのためガイド突片１０ａの貫挿開口部１０ｂに対する貫挿は遊貫であってもよい。
【００３５】
挟着具１は、２つの挟着部材１０、１０の各挟着片１３、１３の先端を相互に近接させて、ボルト体Ｂに挟着する構造となっている。挟着具１の緊締は、対向する両脚片１２、１２に開設された軸孔１２ａ、１２ａに貫通された緊締用ボルト２５と、緊締用ナット２６との螺合によってなされる。なお、緊締用ナット２６側にはワッシャ２７が介装されている。
【００３６】
また、挟着片１３は、基部片１３ａと段部片１３ｂとを先端に向けて昇段状に備えた形状となっている。基部片１３ａは挟着具１を屋根上に取り付けたときに頂部Ｙ１ａに着接するように形成され、一方、段部片１３ｂは挟着具１を屋根上に取り付けたときに山座Ｃの上に配したナットＣ１よりも高く配されるように形成されている。つまり、２つの挟着部材１０、１０は、挟着具１を屋根上に取り付けたときには、座金Ｃ２およびその上のナットＣ１と抵触しないように折板屋根Ｙの頂部Ｙ１ａに着接された状態となる。
【００３７】
また、段部片１３ｂの先端中央には、図１の部分拡大平面図に示すように、折板屋根Ｙの頂部Ｙ１ａの上面に突出したボルト体Ｂの雄ネジ部Ｂ１に嵌合可能な係止凹所１４が形成され、その係止凹所１４にはボルト体Ｂを係止する係止片１４ａがやや上方に切り起こされている。この係止片１４ａによって雄ネジ部Ｂ１に対して鋭角的に嵌合、挟着することができる。なお、係止凹所１４の両側に挟着片１３を補強するリブを形成してもよい。
【００３８】
以上のように構成した本発明の屋根上取付具Ａは、以下の要領で折板屋根Ｙに取り付けて使用する。
【００３９】
まず、２つの挟着部材１０、１０の脚片１２、１２の軸孔１２ａ、１２ａに緊締用ボルト２５の軸部を貫通させたうえで、緊締用ボルト２５の先端側から緊締用ナット２６を軽く締めるとともに、２つの挟着部材１０、１０のガイド突片１０ａと貫挿開口部１０ｂを軽く雌雄結合（ガイド突片１０ａの先端部を貫挿開口部１０ｂに挿入）させて仮止め状態にする。つぎに、その挟着具１を、折板屋根Ｙより突出したボルト体Ｂの上方から、係止片１４ａ、１４ａ間にボルト体Ｂが嵌挿されるようにして折板屋根Ｙの頂部Ｙ１ａの上面に載置する（図２（ａ）参照）。
【００４０】
つぎに、仮止め状態にしていた緊締用ボルト２５および緊締用ナット２６を締め付けていくと、２つのガイド突片１０ａ、１０ａが対応した貫挿開口部１０ｂ、１０ｂに貫挿して２つの台座部１１、１１の対向片１１ｃ、１１ｃ同士が隙間なく密着する。それと同時に、螺合による締め付け力によって両脚片１２、１２が近接して、両係止凹所１４、１４（図１参照）がボルト体Ｂの雄ネジ部Ｂ１を取り囲むように挟着する（図２（ｂ）参照）。
【００４１】
この挟着状態では、図２（ｂ）に示すように、２つの永久磁石１１ｂ、１１ｂは側端面同士が近接した状態となる。
【００４２】
このような手順で屋根上取付具Ａを順次、図３に示すように折板屋根Ｙの頂部Ｙ１ａに並べて取り付けていき、横方向に一直線に並んだ屋根上取付具Ａの台座部１１（永久磁石１１ｂ）の上に、屋根上取付物品を固定するためのフレームＦを載せ置き永久磁石１１ｂで磁着させる。
【００４３】
このように、フレームＦを台座部１１に設けた永久磁石１１ｂに磁着させるだけの取付構造であるため、短時間で屋根上取付物品の取付作業を行える。
【００４４】
また、フレームＦをビス止めしなくてもよいため、ビス止めによる切粉が発生するおそれはなく、切粉を取り除く作業が省ける。切粉が発生しないので、屋根面に切粉を原因とした錆も発生し得ない。
【００４５】
さらに、本実施形態の屋根上取付具Ａは、一対の挟着部材１０、１０よりなる挟着具１で頂部Ｙ１ａより突出したボルト体Ｂに挟着して固定する構成であるため、屋根上取付具Ａ自体の折板屋根Ｙへの取付固定も簡易に行える。また挟着固定であるため、屋根上取付具Ａ自体もしっかりと固定できる。
【００４６】
なお、図３の例ではフレームＦを屋根上取付具Ａに磁着取り付けする例を示したが、屋根上取付物品を直接、屋根上取付具Ａに磁着させる構成であってもよい。
【００４７】
図４は、本実施形態の屋根上取付具の他の取付態様を示す一部断面正面図である。
【００４８】
この図例に示した折板屋根Ｙは、図１に示した折板屋根Ｙと折板屋根材の連結構造が異なる。すなわち、図４に示した折板屋根Ｙは、頂部Ｙ１ａにおいて２枚の折板屋根材をハゼ結合してなり、その連結した頂部Ｙ１ａには突出体としてハゼ部Ｈが形成されている。なお、図４に示した屋根上取付具Ａは図１のものと同一構造であるため、各部の詳細については説明を省略する。
【００４９】
屋根上取付具Ａは、ハゼ部Ｈに対して、図１の例と同様に緊締用ボルト２５と、緊締用ナット２６とを用いて挟着片１３を挟着させることで、取付固定することができる。
【００５０】
このように、本実施形態の屋根上取付具は挟着片で挟着する構造であるため、ハゼ部に対しても取付固定することができる。
【００５１】
図５は、第１実施形態の変形例（本発明の実施例）を示す屋根上取付具の正面図である。
【００５２】
この屋根上取付具Ａは、一方の挟着部材１０の台座部１１の対向片１１ｃに永久磁石１１ｄが固着されており、この永久磁石１１ｄによる台座部１１、１１同士の磁着によって挟着部材１０、１０同士の連結を強固にする構造となっている。なお、その他の構成は図１に示した屋根上取付具Ａと同様であるため、詳細な説明は省略する。また、永久磁石１１ｄは両方の台座部１１、１１の接触面に取り付けてもよい。
【００５３】
ついで、第２実施形態（参考例）について説明する。
【００５４】
図６は、本発明に係る屋根上取付具の第２実施形態を示す分解斜視図である。図７は、屋根上取付具の波形屋根への取り付け後の状態を示す斜視図である。図８（ａ）は屋根上取付具の波形屋根への取り付け前の状態を示す一部断面正面図、図８（ｂ）は屋根上取付具の波形屋根への取り付け後の状態を示す一部断面正面図である。
【００５５】
この屋根上取付具Ａは、挟着方式により頂部Ｙ１ａに取付固定する点については第１実施形態と同様であるが、第１実施形態とは永久磁石の形状および挟着手段（挟着具１の挟着片１３）の形状、構造が異なる。また、屋根上取付具Ａの取付対象である折板屋根Ｙは、図１に示した折板屋根Ｙと同様、重ね式接合構造であり、ボルト体Ｂが頂部Ｙ１ａより突出した構造のものが使用される。なお、第１実施形態と同様の構成部については同一の符号を付してその説明を割愛する。
【００５６】
本実施形態で台座部１１に取り付ける永久磁石１１ｂは、隣接される２つの台座本体１１ａ、１１ａに共通する１枚のものが使用される。例えば本実施形態の図例に示すように、両台座本体１１ａ、１１ａの全体を覆い隠すものでもよいし、一部を覆い隠すように両台座部１１、１１に跨るものでもよいし、また一方の台座本体１１ａのみに固着されるものでもよい。
【００５７】
図例の永久磁石１１ｂは両台座部１１、１１に跨るものであるため、図８に示すように、両挟着部材１０、１０を屋根上で連結固定させてから接着剤等で後付けすることが望ましい。
【００５８】
この挟着具１は、２つの挟着部材１０、１０の各挟着片１３、１３の先端を相互に近接させて、ボルト体Ｂに挟着する構造となっている。挟着具１の緊締は、対向する両脚片１２、１２に開設された軸孔１２ａ、１２ａに貫通された緊締用ボルト２５と、緊締用ナット２６との螺合によってなされる。なお、２７はワッシャである。
【００５９】
挟着片１３は、屋根上取付具Ａを折板屋根Ｙの頂部Ｙ１ａに取り付けたときに頂部Ｙ１ａの上面に接触する屋根上載置部１３ｄを有し、その先端部において上方に折曲されて、ボルト体Ｂの雄ネジ部Ｂ１に係止する係止部を構成する、半割筒体よりなるボルト係止溝部１３ｅが形成されている。
【００６０】
この屋根上載置部１３ｄは、中央部がボルト係止溝部１３ｅの直下にいたるまで開口されており、その開口によって、屋根上取付具Ａを頂部Ｙ１ａに設置したときにナットＣ１と座金Ｃ２を収容する（回避する）座金部収容空所１３ｄａが形成されている。
【００６１】
この座金部収容空所１３ｄａは、平面的には座金Ｃ２の大きさ分を収容でき、高さ方向においてはナットＣ１の上端までを収容できる程度の空所であればよい。
【００６２】
また、ボルト係止溝部１３ｅは内側に雌ネジ部１３ｅａを形成した半割筒体よりなり、脚片１２の緊締によって両ボルト係止溝部１３ｅ、１３ｅでボルト体Ｂを抱持することで雄ネジ部Ｂ１と係止される。こうして、雄ネジ部Ｂ１とボルト係止溝部１３ｅとは、ネジ山とネジ溝とが相互に噛み合って、強固な挟着関係が形成され、それによって屋根上取付具Ａがボルト体Ｂに固定される。
【００６３】
また、図６に示すように、屋根上取付具Ａは頂部Ｙ１ａの上面に載置されるように固定される。つまり、屋根上取付具Ａを屋根上に設置したときには挟着片１３の屋根上載置部１３ｄは頂部Ｙ１ａの上面に接触する。
【００６４】
したがって、この屋根上取付具Ａによれば、ボルト係止溝部１３ｅにより折板屋根Ｙの頂部Ｙ１ａより突出したボルト体Ｂにしっかりと係止、挟着でき、屋根上載置部１３ｄの頂部Ｙ１ａへの接触によって挟着片１３のボルト体Ｂへの挟着を補完でき、それによって屋根上取付具Ａのぐらつきを防止できる。
【００６５】
以上のように構成した本発明の屋根上取付具Ａは、以下の要領で折板屋根Ｙに取り付けて使用する。
【００６６】
まず、２つの挟着部材１０、１０の脚片１２、１２の軸孔１２ａ、１２ａに緊締用ボルト２５の軸部を貫通させたうえで、緊締用ボルト２５の先端側から緊締用ナット２６を軽く締めるとともに、２つの挟着部材１０、１０のガイド突片１０ａと貫挿開口部１０ｂを軽く雌雄結合（ガイド突片１０ａの先端部を貫挿開口部１０ｂに挿入）させて仮止め状態にする。つぎに、その挟着具１を、折板屋根Ｙより突出したボルト体Ｂの上方から、両挟着片１３、１３のボルト係止溝部１３ｅ、１３ｅ間の間隙を通じてボルト体Ｂを嵌挿する（図８（ａ）参照）。
【００６７】
つぎに、仮止め状態にしていた緊締用ボルト２５および緊締用ナット２６を締め付けていくと、２つのガイド突片１０ａ、１０ａが対応した貫挿開口部１０ｂ、１０ｂに貫挿して２つの台座本体１１ａ、１１ａが隙間なく密着する。それと同時に、螺合による締め付け力によって両脚片１２、１２が近接して、両挟着片１３、１３のボルト係止溝部１３ｅ、１３ｅも互いに近接し、両半割筒体がボルト体Ｂの雄ネジ部Ｂ１を挟み込み、ボルト係止溝部１３ｅ、１３ｅがボルト体Ｂの雄ネジ部Ｂ１の外周面のネジ溝に係止して（螺合関係を形成して）ボルト体Ｂを挟持する（図８（ｂ）参照）。
【００６８】
そしてその後、永久磁石１１ｂを、連結された両台座本体１１ａ、１１ａの上に接着する（図８（ｂ）参照）。
【００６９】
こうして、屋根上取付具Ａを、第１実施形態と同様の並べ方で（図３参照）、折板屋根Ｙの頂部Ｙ１ａに並べて取り付けていき、横方向に一直線に並んだ屋根上取付具Ａの台座部１１（永久磁石１１ｂ）の上に、屋根上取付物品を固定するためのフレームＦを載せ置き磁着させる。
【００７０】
このように、本発明は挟着構造の異なる種々の挟着具１に適用できる。第１、第２実施形態の形状、構造のものには限られず、他の挟着構造の挟着具であってもよい。
【００７１】
以上に示した第１、第２実施形態の屋根上取付具Ａは、別体の永久磁石１１ｂを台座本体１１ａに固着してなる構成であるため、従来使用していた、永久磁石を取り付けていない屋根上取付具を有効に使用できる。
【００７２】
また、このように別体の永久磁石１１ｂを台座本体１１ａに取り付けるのではなく、少なくとも台座部１１を永久磁石で形成したものを用いてもよい。もちろん屋根上取付具Ａ全体を永久磁石で形成してもよい。このように永久磁石を含んで一体的に形成したものによれば、別体の永久磁石１１ｂを固着する構成ではないため、永久磁石が屋根上取付具Ａより外れるおそれがなく安全である。
【００７３】
なお、第１実施形態では２枚の永久磁石１１ｂを用いた例を示し、第２実施形態では１枚の永久磁石１１ｂを用いた例を示したが、第１実施形態の屋根上取付具に１枚の永久磁石１１ｂを採用してもよいし、第２実施形態の屋根上取付具に２枚の永久磁石１１ｂを採用してもよい。
【００７４】
また、上記の２種の実施形態においては、ボルト体Ｂに挟着片１３が直接挟着する例を示したが、内外にネジ溝を形成した管状体をボルト体Ｂに嵌着させたうえで、屋根上取付具Ａを挟着するような取付構造であってもよい。
【符号の説明】
【００７５】
Ａ      屋根上取付具
１      挟着具
１０      挟着部材
１０ａ      ガイド突片
１０ｂ      貫挿開口部
１１      台座部
１１ａ      台座本体
１１ｂ      永久磁石
１１ｃ      対向片
１１ｄ      永久磁石
１２      脚片
１３      挟着片
１４      係止凹所
Ｂ      ボルト体（突出体）
Ｈ      ハゼ部（突出体）
Ｆ      フレーム
Ｙ      折板屋根（角波形屋根）
Ｙ１ａ      頂部
【図１】
0005606959.tif 000002
【図２】
0005606959.tif 000003
【図３】
0005606959.tif 000004
【図４】
0005606959.tif 000005
【図５】
0005606959.tif 000006
【図６】
0005606959.tif 000007
【図７】
0005606959.tif 000008
【図８】
0005606959.tif 000009